(57)【特許請求の範囲】
【請求項１】
ワイヤレス通信ネットワークにおけるセカンダリ・リバースリンクのキャリアに関するリバースリンクの送信電力の初期設定方法であって：
プライマリ・リバースリンクのキャリアとセカンダリ・リバースリンクのキャリアとの相対的な負荷の関数として、１または２以上のセカンダリ・リバースリンクのキャリアに関する初期設定の電力オフセット情報を決定し；
セカンダリ・リバースリンクのキャリア送信電力の初期設定に使用するために、前記初期設定の電力オフセット情報を移動局へ送信することからなる、送信電力の初期設定方法。
【請求項２】
前記初期設定の電力オフセット情報を決定することは、
セカンダリ・リバースリンクのキャリアと、前記移動局と関連付けられたプライマリ・リバースリンクのキャリアとの負荷の差異を決定することからなる、請求項１に記載の送信電力の初期設定方法。
【請求項３】
前記初期設定の電力オフセット情報を決定することは、
１または２以上のセカンダリ・リバースリンクのキャリアと、プライマリ・リバースリンクのキャリアとの負荷の差異を決定し、
１または２以上のセカンダリ・リバースリンクのキャリアと、プライマリ・リバースリンクのキャリアとのアクティブセットの差異、および前記移動局を含んでいるセクタの切り替え活動を決定することからなる、請求項１に記載の送信電力の初期設定方法。
【請求項４】
前記初期設定の電力オフセット情報は、
前記移動局と関連付けられたプライマリ・リバースリンクのキャリアの現在の送信電力に相対的なセカンダリ・リバースリンクの送信電力を初期設定するために使用される、少なくとも１つの電力オフセットを識別する明示的な電力オフセット情報からなる、請求項１に記載の送信電力の初期設定方法。
【請求項５】
前記初期設定の電力オフセット情報は、
１または２以上のセカンダリ・リバースリンクのキャリアと、前記移動局と関連付けられたプライマリ・リバースリンクのキャリアとの、相対的なリバースリンクの負荷情報を示す暗示的な電力オフセット情報からなり、その結果、前記移動局が、前記リバースリンクの負荷情報の関数として、セカンダリ・リバースリンクのキャリアに関して使用される初期電力オフセットを計算することができる、請求項１に記載の送信電力の初期設定方法。
【請求項６】
さらに、１または２以上のセカンダリ・リバースリンクのキャリアと、前記移動局と関連付けられたプライマリ・リバースリンクのキャリアとに関連付けられたアクティブセットの大きさの差異の関数として、初期設定の電力オフセット情報を決定することからなる、請求項１に記載の送信電力の初期設定方法。
【請求項７】
リバースリンクの負荷の関数として、１または２以上のセカンダリ・リバースリンクのキャリアに関する初期設定の電力オフセット情報を決定することは、
セクタごとのオフセット情報を決定することからなり、その結果、前記移動局が、前記移動局のサービング・セクタに関する前記セクタごとのオフセット情報の関数として、セカンダリ・リバースリンクのキャリア送信電力を初期設定することができる、請求項１に記載の送信電力の初期設定方法。
【請求項８】
前記初期設定の電力オフセット情報を送信することは、
トラフィック・チャネルの割り当てメッセージにおいて、前記電力オフセット情報を送信することからなる、請求項１に記載の送信電力の初期設定方法。
【請求項９】
前記初期設定の電力オフセット情報を送信することは、
ブロードキャストまたはユニキャストのメッセージにおいて、前記電力オフセット情報を送信することからなる、請求項１に記載の送信電力の初期設定方法。
【請求項１０】
１または２以上の処理回路からなる基地局制御装置であって：
前記処理回路は、
プライマリ・リバースリングのキャリアとセカンダリ・リバースリンクのキャリアとの相対的な負荷の関数として、１または２以上のセカンダリ・リバースリンクのキャリアに関する初期設定の電力オフセット情報を決定し；
セカンダリ・リバースリンクのキャリア送信電力の初期設定に使用するために、前記初期設定の電力オフセット情報を移動局へ送信するように構成された、基地局制御装置。
【請求項１１】
前記基地局制御装置は、
セカンダリ・リバースリンクのキャリアと、前記移動局と関連付けられたプライマリ・リバースリンクのキャリアとの、リバースリンクの負荷の差異を決定することにより、前記初期設定の電力オフセット情報を決定するように構成された、請求項１０に記載の基地局制御装置。
【請求項１２】
前記基地局制御装置は、
１または２以上のセカンダリ・リバースリンクのキャリアと、プライマリ・リバースリンクのキャリアとの、少なくとも１つのリバースリンクの負荷の差異を決定し、
１または２以上のセカンダリ・リバースリンクのキャリアと、プライマリ・リバースリンクのキャリアとのアクティブセットの差異、および前記移動局を含んでいるセクタの切り替え活動を決定することにより、
前記初期設定の電力オフセット情報を決定するように構成された、請求項１０に記載の基地局制御装置。
【請求項１３】
前記初期設定の電力オフセット情報は、
前記移動局と関連付けられたプライマリ・リバースリンクのキャリアの現在の送信電力に相対的なセカンダリ・リバースリンクの送信電力を初期設定するために使用される、少なくとも１つの電力オフセットを識別する明示的な電力オフセット情報からなる、請求項１０に記載の基地局制御装置。
【請求項１４】
前記初期設定の電力オフセット情報は、１または２以上のセカンダリ・リバースリンクのキャリアと、前記移動局と関連付けられたプライマリ・リバースリンクのキャリアとの、相対的なリバースリンクの負荷情報を示す暗示的な電力オフセット情報からなり、その結果、前記移動局が、前記リバースリンクの負荷情報の関数として、セカンダリ・リバースリンクのキャリアに関して使用される初期電力オフセットを計算することができる、請求項１０に記載の基地局制御装置。
【請求項１５】
前記基地局制御装置はさらに、
１または２以上のセカンダリ・リバースリンクのキャリア、および前記移動局と関連付けられたプライマリ・リバースリンクのキャリアと関連付けられたアクティブセットの大きさの差異の関数として、初期設定の電力オフセット情報を決定するように構成された、請求項１０に記載の基地局制御装置。
【請求項１６】
前記基地局制御装置は、
セクタごとのオフセット情報を決定することにより、前記初期設定の電力オフセット情報を決定するように構成され、その結果、前記移動局が、前記移動局のサービング・セクタと関連する前記セクタごとのオフセット情報の関数として、セカンダリ・リバースリンクのキャリア送信電力を初期設定することができる、請求項１０に記載の基地局制御装置。
【請求項１７】
前記基地局制御装置は、
トラフィック・チャネルの割り当てメッセージにおいて、前記電力オフセット情報を送信することにより、前記初期設定の電力オフセット情報を送信するように構成された、請求項１０に記載の基地局制御装置。
【請求項１８】
移動局であって：
初期設定の電力オフセット情報を、サポートしているワイヤレス通信ネットワークから受信するように構成された送受信回路と；
前記初期設定の電力オフセット情報の関数として、プライマリ・リバースリンクのキャリアに相対的なセカンダリ・リバースリンクのキャリアの初期送信電力を設定するように構成された、１または２以上の処理回路とからなる、移動局。
【請求項１９】
前記初期設定の電力オフセット情報は、
前記プライマリおよびセカンダリ・リバースリンクのキャリアと関連付けられたリバースリンクの負荷情報からなる、請求項１８に記載の移動局。
【請求項２０】
前記移動局は、
前記リバースリンクの負荷情報の関数として、前記プライマリ・リバースリンクのキャリアの現在の送信電力に相対的な、セカンダリ・リバースリンクのキャリアに関する初期電力オフセットを計算するように構成された、請求項１８に記載の移動局。
【請求項２１】
前記移動局は、
セカンダリ・リバースリンクのキャリアが、前記プライマリ・リバースリンクのキャリアよりも重く負荷されている場合には、前記セカンダリ・リバースリンクのキャリアに関して使用される前記初期送信電力が、前記プライマリ・リバースリンクのキャリアの現在の送信電力よりも高くなるように、前記初期送信電力オフセットを計算するように構成され、
前記セカンダリ・リバースリンクのキャリアが、前記プライマリ・リバースリンクのキャリアよりも軽く負荷されている場合には、前記セカンダリ・リバースリンクのキャリアに関して使用される前記初期送信電力が、前記プライマリ・リバースリンクのキャリアの現在の送信電力よりも低くなるように、前記初期送信電力オフセットを計算するように構成された、請求項１８に記載の移動局。
【請求項２２】
前記初期設定の電力オフセット情報は、
セクタごとのオフセット情報からなり、
この場合において、前記１または２以上の処理回路は、
前記セカンダリ・リバースリンクのキャリアのインナーループ電力制御が始まる前に、前記移動局がサービング・セクタを変更した場合には、前記初期送信電力をアップデートするように構成された、請求項１８に記載の移動局。
【請求項２３】
移動局の処理方法であって：
サポートしているワイヤレス通信ネットワークから初期設定の電力オフセット情報を受信し；
前記初期設定の電力オフセット情報の関数として、プライマリ・リバースリンクのキャリアに相対的なセカンダリ・リバースリンクのキャリアの初期送信電力を設定することからなる、移動局の処理方法。
【請求項２４】
前記初期設定の電力オフセット情報は、
前記プライマリおよびセカンダリ・リバースリンクのキャリアと関連付けられたリバースリンクの負荷情報からなる、請求項２３に記載の移動局の処理方法。
【請求項２５】
前記セカンダリ・リバースリンクのキャリアの初期送信電力を設定することは、
前記リバースリンクの負荷情報の関数として、前記プライマリ・リバースリンクの現在の送信電力に相対的な、セカンダリ・リバースリンクのキャリアに関する初期電力オフセットを計算することからなる、請求項２３に記載の移動局の処理方法。
【請求項２６】
前記初期設定の電力オフセット情報を受信することは、
セクタごとのオフセット情報を受信することからなり、
この場合において、前記移動局の方法はさらに、
前記ネットワークによる前記セカンダリ・リバースリンクのキャリアのインナーループ電力制御が始まる前に、前記移動局がサービング・セクタを変更した場合には、変更されたサービング・セクタを反映するために前記初期送信電力をアップデートすることからなる、請求項２３に記載の移動局の処理方法。
【請求項２７】
移動局であって：
リバースリンクの負荷情報を受信するように構成された送受信回路と；
前記リバースリンクの負荷情報の関数として、プライマリ・リバースリンクのキャリアに相対的なセカンダリ・リバースリンクのキャリアの初期送信電力を設定するように構成された、１または２以上の処理回路とからなる、移動局。
【請求項２８】
前記リバースリンクの負荷情報は、
前記プライマリ・リバースリンクのキャリアと、前記移動局による使用に関する候補であるセカンダリ・リバースリンクのキャリアとの、リバースリンクの負荷の差異を示す、請求項２７に記載の移動局。
【発明の詳細な説明】
【技術分野】
【０００１】
本発明は一般にワイヤレス通信に関し、特にセカンダリ・リバースリンクのキャリアの送信電力の初期設定に関する。
【背景技術】
【０００２】
ワイヤレス通信ネットワークのいくつかの種類においては、移動局は、２またはそれ以上のリバースリンクのキャリアにおいて、リバースリンクデータを送信するように許容されている。かかる２またはそれ以上のリバースリンクのキャリアは、１つのプライマリ・リバースリンクのキャリアおよび１または２以上のセカンダリ・リバースリンクのキャリアと言及されることができる。この例に制限されるわけではないが、現在進行段階の１ｘ−ＥＶＤＯ基準は、プライマリおよびセカンダリ・リバースリンクのキャリアを許可するマルチキャリア規定を含む。
【０００３】
送信電力を制御することは、ＣＤＭＡを基本とするネットワークおよび他の干渉制限された通信システムにおける基本的な課題を表し、かかる制御の考慮は、送信電力の初期設定にまで及ぶ。すなわち、継続的な送信電力制御のために、送信機と受信機との間でチャネルフィードバックが使用されることができる一方で、かかるフィードバックは通常、送信の当初においては利用できない。
【０００４】
プライマリ・リバースリンクのキャリアの始動または初期送信電力は、接続プロービング手段に基づいて、移動局によって設定されることができる。しかし、一度プライマリ・リバースリンクのキャリアが構築されると、接続プロービングは実行されない。したがって、接続プロービングは、移動局によって使用されるいずれのセカンダリ・リバースリンクのキャリアの送信電力を初期設定するためには利用できない。
【０００５】
セカンダリ・リバースリンクのキャリアの送信電力を初期設定するためのある方法としては、初期送信電力をプライマリ・リバースリンクのキャリアの現在のレベルに設定することがある。しかし、セカンダリ・リバースリンクのキャリアの状態がプライマリ・リバースリンクのキャリアの状態と異なる限りにおいては、この方法は、セカンダリ・リバースリンクのキャリアの送信電力を過度に高く初期設定してしまうこと、または過度に低く初期設定してしまうことがある。送信電力を過度に低く初期設定することが接続の成功を減少させ、一方で送信電力を過度に高く初期設定することが干渉を不必要に増加させ、移動局において電力を消費する。
【発明の開示】
【０００６】
ある実施形態においては、移動局制御装置は、セカンダリ・リバースリンクのキャリアのために、移動局によって使用される初期送信電力の設定において、移動局による使用のために初期設定の電力オフセット情報を送信する。対応するように、１または２以上の実施形態において、移動局は、初期設定の電力オフセット情報に基づいて、セカンダリ・リバースリンクのキャリアの送信電力を初期設定するように構成される。
【０００７】
上記事項を考慮したうえで、ワイヤレス通信ネットワークにおけるセカンダリ・リバースリンクのキャリアに関するリバースリンクの送信電力の初期設定方法は、リバースリンクの負荷の関数として、１または２以上のセカンダリ・リバースリンクのキャリアに関する初期設定の電力オフセット情報を決定し、セカンダリ・リバースリンクのキャリアの送信電力の初期設定における使用のために、初期設定の電力オフセット情報を移動局に送信することからなる。
【０００８】
初期設定の電力オフセットの情報を決定することは、１または２以上の実施形態において、少なくとも１つのセカンダリ・リバースリンクのキャリアを、移動局と関連付けられたプライマリ・リバースリンクのキャリアと関連付ける、リバースリンクの負荷の差異を決定することからなる。例えば、初期設定の電力オフセット情報を決定することは、１または２以上のセカンダリ・リバースリンクのキャリアをプライマリ・リバースリンクのキャリアと関連付ける、少なくとも１つのリバースリンクの負荷の差異を決定し、１または２以上のセカンダリ・リバースリンクのキャリアを、プライマリ・リバースリンクのキャリアと関連付ける、アクティブセットの差異、および移動局を含んでいるセクタの切り替え活動を決定することからなる。
【０００９】
上記および他の実施形態においては、初期設定の電力オフセット情報は、移動局と関連付けられたプライマリ・リバースリンクのキャリアの現在の送信電力と関連するセカンダリ・リバースリンクの送信電力を初期設定するのに使用される、少なくとも１つの電力オフセットを識別する明示的な電力オフセット情報からなることができる。代わりの方法として、初期設定の電力オフセット情報は、１または２以上のセカンダリ・リバースリンクのキャリア、および移動局と関連付けられたプライマリ・リバースリンクのキャリアに関して、関連するリバースリンクの負荷情報を示す暗示的な電力オフセット情報からなることができる。その結果移動局は、リバースリンクの負荷情報の関数として、セカンダリ・リバースリンクのキャリアに関して使用される初期電力オフセットを計算することができる。
【００１０】
暗示的な情報または明示的な情報が送信されたに関わらず、初期設定の電力オフセット情報は、トラフィック・チャネル割り当てメッセージにおいて送信されることができる。しかし、移動局への初期設定の電力情報を提供するための他の手段がここにおいて考慮されることが理解されるべきである。例えば、ある実施形態においては、移動局制御装置、または対応する無線基地局は、例えばリバースリンクの活動指標を送信することになどより、リバースリンクの負荷情報を送信するように構成される。対応するように、移動局は、プライマリ・リバースリンクのキャリアに関連する１または２以上のリバースリンクのセカンダリ・キャリアに関する初期送信電力オフセットを決定するために、リバースリンクの負荷情報を使用するように構成される。
【００１１】
もちろん、本発明は上記特徴および有利な効果に限定されない。実際に、いわゆる当業者であれば、以下に詳述する事項を読み、添付図面を参照することにより、更なる特徴および有利な効果を認識することができる。
【発明を実施するための最良の形態】
【００１２】
図１は、ここで開示されるセカンダリ・リバースリンクのキャリアの送信電力の初期設定の１または２以上の実施形態をサポートするように構成された、ワイヤレス通信ネットワーク１０を示す。この例に限定されるわけではないが、ネットワーク１０は、１ｘＥＶＤＯ基準に従って、ＣＤＭＡを基本とするパケットデータ通信のために構成されることができる。
【００１３】
動作において、ネットワーク１０は、明瞭に図示されている端末の移動局１２を、１または２以上の外部データネットワーク１４と双方向に通信接続する。かかるネットワークは、インターネットまたは他の公衆またはプライベートパケットデータネットワークを含むことができる。これらの通信をサポートするのに、図示されたネットワーク１０は、１または２以上の無線基地局１６と、無線基地局１６をサポートするための１または２以上の基地局制御装置１８とからなる。次に、ネットワーク１０はさらに、コアネットワーク２０を含む。かかるコアネットワーク２０は、パケットデータサービングノード、認証サーバ等を含むことができる。
【００１４】
１つの無線基地局１６と１つの対応する基地局制御装置１８が明瞭に図示されているが、更なるこれらの構成要素が実際のネットワークでは存在することができ、ここで図示されていない他の構成要素も同様に存在することができることが理解されるべきである。他の基地局のシステム構造が、ここで詳述されるセカンダリ・リバースリンクの送信電力の初期設定動作をサポートするために使用されることがさらに理解されるべきである。例えば、代わりの構造は、基地局制御装置と無線送受信機資源とを、一体化された基地局構成に統合する。
【００１５】
図示された移動局構造に関して、図２は、電力初期設定制御装置３２を含む１または２以上の処理回路３０からなる基地局制御装置１８の実施形態の１つを機能的に示す。これらの回路は、ハードウェア、ソフトウェア、またはそれらの結合のいずれかにおいて実行されることができる。例えば、基地局制御装置１８は、通信処理を実行するために、１または２以上の通常のまたは特別な目的のマイクロプロセッサ回路と、関連付けられたプログラムと、データメモリとを含むことができる。特に、セカンダリ・リバースリンクのキャリアの送信電力の初期設定を実行するための方法および装置は、コンピュータプログラムの実行のために構成されたコンピュータ可読性の媒体、および１または２以上の対応するマイクロプロセッサ、または他の論理処理回路に記憶されたコンピュータプログラムの指示を経由して、基地局制御装置１８において実行されることができる。
【００１６】
かかる実行の詳細に関わらず、図３は、セカンダリ・リバースリンクのキャリアの送信電力を初期設定するための処理論理の実施形態の１つを示す。当該処理は、初期設定の電力オフセット情報を決定することから始まり（ステップ１００）、初期設定の電力オフセット情報を移動局１２に送信することで継続する。例えば、移動局の現在のフォワードリンクのサービング・セクタを有している無線基地局１６を通じて情報を送信する。
【００１７】
基地局制御装置１８は、初期設定の電力オフセット情報の決定において、１または２以上のデータアイテムを考慮することができる。例えば、基地局制御装置１８は、すべての含まれたリバースリンクのキャリア、すなわち、プライマリ・リバースリンクのキャリアと移動局１２による使用のための候補となる１または２以上のセカンダリ・リバースリンクのキャリアとのアクティブセットに関するリバースリンクの負荷情報を集めることができる。基地局制御装置１８は、その後プライマリ・キャリアに関連するセカンダリ・キャリアに関する適切な初期送信電力オフセットを計算する。（ここで使用される非制限的な定義に従うと、“キャリア（ｃａｒｒｉｅｒ）”の用語は、論理的にまたは物理的に異なる通信チャネルを表す。セクタ化された無線基地局１６のセクタごとに１つのキャリアが存在することができる。すなわち、セクタＳ１、Ｓ２、およびＳ３のそれぞれに１つのキャリアが存在することができる。または、１つのセクタに複数のキャリア、例えば異なる周波数の異なるキャリアなどが存在することができる。さらに、複数のキャリアは、異なる拡散符号を使用していると定義されることができる。）
【００１８】
上記事項を考慮したうえで、初期設定の電力オフセット情報を決定すること（ステップ１００）は、実施形態の１つにおいては、少なくとも１つのセカンダリ・リバースリンクのキャリアを、移動局と関連付けられたプライマリ・リバースリンクのキャリアに関連付けるリバースリンクの負荷の差異を決定することからなる。そのようにして、移動局１２におけるセカンダリ・リバースリンクのキャリアの初期送信電力は、リバースリンクの負荷を考慮して設定されることができる。少なくとも１の実施形態においては、かかる考慮は負荷の差異に基づく。特に、初期設定の電力オフセット情報を決定することは、１または２以上のセカンダリ・リバースリンクのキャリアをプライマリ・リバースリンクのキャリアと関連付ける少なくとも１つのリバースリンクの負荷の差異を決定することからなる。
【００１９】
この方法により、セカンダリ・リバースリンクのキャリアと関連付けられたリバースリンクの負荷が、プライマリ・リバースリンクのキャリアと関連付けられたリバースリンクの負荷よりも高い場合には、移動局のプライマリ・リバースリンクのキャリアの現在の送信電力を上回るレベルにおいて、セカンダリ・キャリアの送信電力を初期設定するように、移動局１２は制御されることができ、もしくは構成されることができる。逆に、セカンダリ・リバースリンクのキャリアと関連付けられたリバースリンクの負荷が、プライマリ・リバースリンクのキャリアと関連付けられたリバースリンクの負荷よりも低い場合には、移動局のプライマリ・リバースリンクのキャリアの現在の送信電力を下回るレベルにおいて、セカンダリ・キャリアの送信電力を初期設定するように移動局１２は制御されることができ、もしくは構成されることができる。
【００２０】
この例に限定されるわけではないが、基地局制御装置１８は、基地局制御装置１８の制御の下で動作している無線基地局１６から、セクタ特有のおよび／またはキャリア特有のリバースリンクの負荷の評価を受信するように構成されることができる。限定されない例として、負荷の情報は、リバース・アクティビティ・ビット（ＲＡＢ：ｒｅｖｅｒｓｅ  ａｃｔｉｖｉｔｙ  ｂｉｔ）の形式において伝達されることができる。次に、無線基地局１６は、定期的な基準または必要に応じた基準で、基地局制御装置１８に伝送するために、負荷の評価を生成するように構成されることができる。実施形態の１つにおいては、リバースリンクの負荷の評価は、ライズオーバーサーマル（ＲｏＴ：Ｒｉｓｅ−Ｏｖｅｒ−Ｔｈｅｒｍａｌ）測定の関数として決定される。かかる実施形態においては、ネットワーク１０は、無線基地局１６の無線受信機においてＲｏＴをより正確に測定するための静穏な瞬間を提供するために、送信活動が周期的に停止される“サイレンスピリオド（ｓｉｌｅｎｃｅ  ｐｅｒｉｏｄ）”を使用するように構成されることができる（もちろん、集合したデータスループットをトラッキングすることにより、またはネットワーク１０によりサポートされているユーザの種類の数をトラッキングすることなどにより、リバースリンクの負荷を測定する他の方法が使用されることができることが理解されるべきである。さらに、負荷のトラッキングは、セクタごとおよび／またはキャリアごとを基準に行われることができる。）。
【００２１】
しかし、初期設定の電力オフセット情報は、特定の移動局１２、または移動局１２の集合、例えば通常は所定の無線基地局のセクタ内で動作するすべての移動局１２に送信されることができることが決定される。実施形態の１つにおいては、初期設定の電力オフセット情報は、明示的なオフセット情報として送信される。すなわち、明示的なオフセット情報とは、セカンダリ・リバースリンクのキャリアに関して最初に使用される相対的な電力レベルの設定において、移動局１２によって使用されることができる計算されたオフセット値である。別の実施形態においては、初期設定オフセット情報は、セクタの負荷情報の形式において送信されることができる。その結果、移動局１２は、受信した情報からオフセット値を計算することができる。換言すると、初期設定の電力オフセット情報は、事前に計算されたオフセット値からなることができ、または移動局によるオフセット値の計算結果と関連する情報からなることができる。
【００２２】
上記例を考慮したうえで、ここで開示された移動局制御装置１８の１または２以上の実施形態は、リバースリンクの負荷の関数として、１または２以上のセカンダリ・リバースリンクのキャリアに関する初期設定の電力オフセット情報を決定し、セカンダリ・リバースリンクのキャリアの送信電力の初期設定に使用するために、移動局に初期設定の電力オフセット情報を送信するように構成された、１または２以上の処理回路を含む。当該情報は、少なくとも１つのセカンダリ・リバースリンクのキャリアを、移動局と関連付けられたプライマリ・リバースリンクのキャリアと関連付けるリバースリンクの負荷の差異を決定することにより決定される。
【００２３】
既に述べたように、（初期設定の電力オフセット）情報は、移動局１２と関連付けられたプライマリ・リバースリンクのキャリアの現在の送信電力と関連する、セカンダリ・リバースリンクの送信電力を初期設定するために使用される、少なくとも１つの電力オフセットを識別する明示的な電力オフセット情報からなることができる。代わりの方法として、当該情報は、１または２以上のセカンダリ・リバースリンクのキャリア、および移動局と関連付けられたプライマリ・リバースリンクのキャリアに関する、相対的なリバースリンクの負荷の情報を示す暗示的な電力オフセット情報からなることができる。その結果、移動局１２は、リバースリンクの負荷情報の関数として、セカンダリ・リバースリンクのキャリアのために使用される初期電力オフセットを計算することができる。いずれの場合においても、基地局制御装置１８は、トラフィック・チャネルの割り当てメッセージにおいて、電力オフセット情報を送信することにより、初期設定の電力オフセット情報を送信するように構成されることができる。一般に、電力オフセット情報は、基本的にブロードキャストおよび／またはユニキャストのメッセージ種類のいずれの種類においても送信されることができ、かかる情報を送信するために使用されるメッセージの特定の種類は、ネットワークの種類によって変化することができ、または必要に応じてまたは要求に応じて他の理由のために変化することができることが理解されるべきである。
【００２４】
少なくとも実施形態の１つにおいては、基地局制御装置１８はさらに、１または２以上のセカンダリ・リバースリンクのキャリアと関連付けられたアクティブセットの大きさと、移動局１２と関連付けられたプライマリ・リバースリンクのキャリアと関連付けられたアクティブセットの大きさとの差異の関数として、初期設定の電力オフセット情報を決定するように構成される。特に基地局制御装置は、１または２以上のセカンダリ・リバースリンクのキャリアを、プライマリ・リバースリンクのキャリアに関連付ける少なくとも１つのリバースリンクの負荷の差異を決定し、セカンダリ・リバースリンクのキャリアを、プライマリ・リバースリンクのキャリアに関連付けるアクティブセットの差異、および移動局を含んでいるセクタの切り替え活動を決定することにより、初期設定の電力オフセット情報を決定するように構成されることができる。
【００２５】
例えば、プライマリ・リバースリンクのキャリアと関連付けられた無線基地局のセクタのアクティブセットが、移動局１２による使用のための候補である所定のセカンダリ・リバースリンクのキャリアと関連付けられたアクティブセットよりも小さい場合には、アクティブセットの大きさの差異が考慮されない場合には、移動局１２により設定される初期送信電力オフセットは本来よりも小さく作成されてしまうことがある。減少は、セカンダリ・リバースリンクのキャリアのより大きいアクティブセットの大きさと関連付けられた推測されたダイバーシティゲインの利益に対応する。
【００２６】
プライマリ・リバースリンクのキャリアと関連するセカンダリ・リバースリンクのキャリアの初期送信電力を設定する場合に考慮されることができる、上記の異なる情報の種類の可能性を考慮したうえで、図４は、初期設定の電力オフセット情報の送信を実行する移動局の処理論理の実施形態の１つを示す。当該処理は、移動局１２が初期設定の電力オフセット情報を受信することで始まる（ステップ１０４）。先に述べたように、受信された情報は、計算されたオフセット、または適切なオフセットを計算するのに移動局１２により使用される基礎的な情報からなることができる。移動局の処理は、受信された情報に基づいてセカンダリ・リバースリンクのキャリアの初期送信電力を設定することで継続する（ステップ１０６）。
【００２７】
特に、図４の状況および他の実施形態においては、基地局１６および／または基地局制御装置１８は、セカンダリ・キャリアに関して、移動局ごとのオフセット情報ではなく、むしろセクタごとの送信電力オフセット情報を送信するように構成されることができる。すなわち、移動局１２は、現在のサービング・セクタであるセクタに関して定義されたオフセットを選択するように構成されることができる。移動局１２が、初期リバースリンクの取得がセカンダリ・キャリアにおいて完了する前にセクタ切り替えを実行した場合、すなわち、ネットワークによるインナーループ（ｉｎｎｅｒ  ｌｏｏｐ）電力制御がまだ開始されていない場合には、移動局１２内の処理回路は新しいサービング・セクタに対応するオフセットに基づいて、セカンダリ・キャリアの送信電力に関して使用される初期オフセットをアップデートする。
【００２８】
図５は、図４の処理論理またはその論理の変化形を実行するように構成された移動局１２の実施形態の１つを示す。図示された移動局１２は、送信／受信アンテナ４０と、切り替え／デュープレクサ４２と、ＣＤＭＡを基本とした無線周波数送受信回路などの送受信回路４４と、ベースバンドプロセッサ４６と、システム制御装置４８と、入力／出力（Ｉ／Ｏ）回路５０と、ユーザインターフェイス５２とからなる。移動局１２の所望される使用に応じて、当図に対していくつかの構成要素が追加、削減、または代わりに用いられることが理解される。なお、ここで使用される“移動局”の用語は、所定の広範な構造とされるべきである。移動局は、この例に制限されるわけではないが、携帯送受信機または他の種類の接続端末、ポケットベル、携帯情報端末（ＰＤＡ：Ｐｏｒｔａｂｌｅ  Ｄｉｇｉｔａｌ  Ａｓｓｉｓｔａｎｔ）、パームトップまたはラップトップコンピュータ、またはこれらの中の通信モジュールを含む。
【００２９】
移動局の機能的な説明に関する特定の関心として、複数のマイクロプロセッサおよび／または他のデジタル論理回路からなることができるベースバンド処理回路４６は、電力制御回路６０を含むことが理解できる。電力制御回路６０は、移動局１２によって受信された初期設定の電力オフセット情報の関数として、移動局１２からのセカンダリ・リバースリンクのキャリアにおける送信のために使用される初期電力オフセットを設定するように構成されることができる。前述したように、情報は、１または２以上のセカンダリ・リンクのキャリアの候補を、移動局１２において現在使用されているプライマリ・リバースリンクのキャリアと関連付ける、１または２以上の事前に計算されたオフセット値からなることができる。別の方法として、当該情報は、適切なオフセットを計算するために電力制御回路６０によって使用されることができる、リバースリンクの負荷情報および／またはアクティブセットの大きさおよびセクタの切り替え情報からなることができる。
【００３０】
いずれの場合においても、移動局１２は広範に、サポートしているワイヤレス通信ネットワークから初期設定の電力オフセット情報を受信するように構成された送受信回路４４、および初期設定の電力オフセット情報の関数としてプライマリ・リバースリンクのキャリアと関連するセカンダリ・リバースリンクのキャリアの初期送信電力を設定するように構成された１または２以上の処理回路、例えば、電力制御回路６０からなる。前述したように、初期設定の電力オフセット情報は、プライマリおよびセカンダリ・リバースリンクのキャリアと関連付けられたリバースリンクの負荷情報からなることができる。その結果、プライマリ・リバースリンクのキャリアの現在の送信電力と関連するセカンダリ・リバースリンクのキャリアに関して使用される初期送信電力オフセットを決定する場合に、移動局１２は、セカンダリ・リバースリンクのキャリアをプライマリ・リバースリンクのキャリアに関連付けるリバースリンクの負荷の差異を考慮することができる。すなわち、移動局１２は広範に、リバースリンクの負荷情報の関数として、プライマリ・リバースリンクのキャリアの現在の送信電力と関連するセカンダリ・リバースリンクのキャリアに関する初期電力オフセットを計算するように構成されることができる。
【００３１】
図６は、リバースリンクの負荷の関数として、セカンダリ・リバースリンクのキャリアの送信電力を初期設定するための処理論理の実施形態の１つを示す。特に、図示された処理論理は、プライマリ・リバースリンクのキャリアの送信電力と関連するセカンダリ・リバースリンクのキャリアの送信電力を初期設定するために使用される電力オフセットを決定する。かかる処理は、移動局制御装置１８内および／または移動局１２内で実行されることができる。
【００３２】
処理は、セカンダリ・リバースリンクのキャリアの候補に関するリバースリンク（ＲＬ）の負荷が、移動局のプライマリ・リバースリンクのキャリアに関するリバースリンクの負荷より高いか否かを決定することで開始する（ステップ１００）。高い場合には、送信電力オフセットが直接的にまたは間接的に設定されることにより、セカンダリ・リバースリンクのキャリアにおける送信のために使用される初期送信電力が、プライマリ・リバースリンクのキャリアよりも高くなることができる（ステップ１１２）。
【００３３】
逆に、相対的なリバースリンクの負荷が低い場合（ステップ１１４）には、処理は、送信電力オフセットを直接的にまたは間接的に設定することで継続することにより、セカンダリ・リバースリンクのキャリアにおける送信のために使用される初期送信電力が、プライマリ・リバースリンクのキャリアよりも低くなることができる（ステップ１１６）。関連するリバースリンクの負荷が同一またはほぼ同一である場合には、処理は、送信出力オフセットを直接的にまたは間接的に設定することで継続することにより、セカンダリ・リバースリンクのキャリアにおける送信のために使用される初期送信電力が、プライマリ・リバースリンクのキャリアのために使用された送信電力と同一、またはほぼ同一となることができる。
【００３４】
上記の処理の状況において、“より高い”および“より低い”といった比較は、特定の値を比較することに基づくことができ、または、範囲またはしきい値の比較に基づくことができることが理解される。例えば、関心のあるセカンダリ・リバースリンクのキャリアおよびプライマリ・リバースリンクのキャリアと関連付けられたリバースリンクの負荷の評価がそれぞれ５％の範囲内である場合には、例えば、負荷は同一と考慮されることができ、初期電力オフセットはそれに応じて、例えばゼロのオフセットと設定されることができる。逆に、セカンダリ・リバースリンクのキャリアに関するリバースリンクの負荷が５％以上低い場合には、初期電力オフセットは、プライマリ・リバースリンクのキャリアの送信電力と比べて負の非ゼロオフセットとすることができる。
【００３５】
さらに上記の状況において、直接的に初期電力オフセットを設定することは、リバースリンクの負荷および／または基地局制御装置１８内のプライマリおよびセカンダリ・リバースリンクのキャリアに関連する他の比較を実行し、明示的な電力オフセット情報を移動局１２へ送信することからなることができる。逆に、間接的に初期電力オフセットを設定することは、比較結果または比較のための基礎的な値を移動局１２へ送信することからなることができ、その結果、移動局１２が初期電力オフセットを計算することができる。いずれの場合においても、情報はトラフィック・チャネルの割り当てメッセージを介して移動局１２へ送信されることができる。
【００３６】
移動局１２への初期電力オフセット情報を暗示的に提供する別の実施形態においては、ＲＡＢまたは他のリバースリンクの負荷指標が、１または２以上の無線セクタにおけるネットワーク１０によって送信される。負荷指標は、特定のキャリアに関わらないセクタの負荷を示すように構成されることができ、またはそれぞれのセクタにおいて可能なキャリアに関する負荷を示すように構成されることができる。
【００３７】
いずれの場合においても、移動局１２は、例えば、図７の処理論理に従って、送信された負荷指標を使用するように構成されることができる。図示された処理は、ネットワーク１０からＲＡＢまたは他のリバースリンク負荷指標を受信する移動局１２を含む（ステップ１２０）。当該処理は、移動局１２が、プライマリ・リバースリンクのキャリアおよび関心のある１または２以上のセカンダリ・リバースリンクのキャリアに関する、相対的なリバースリンクの負荷を決定するために、変化する状況を反映するために周期的にまたは継続的にアップデートされることがある、受信された指標を使用することで継続する（ステップ１２２）。当該処理は、移動局１２が、リバースリンクの負荷情報に基づいて、選択されたセカンダリ・リバースリンクのキャリアに関する初期送信電力を設定することで継続する（ステップ１２４）。例えば、セカンダリ・リバースリンクのキャリアがプライマリ・リバースリンクのキャリアよりも重いリバースリンクの負荷と関連付けられている場合には、移動局１２は、セカンダリ・リバースリンクのキャリアの初期送信電力をプライマリ・リバースリンクのキャリアの現在の送信電力よりも上回るようにオフセットすることができる。
【００３８】
もちろん、本発明はかかる実施形態に限定されず、前記の詳述、または添付図面によって限定されるものではない。むしろ、本発明は特許請求の範囲およびそれと法的に均等な範囲によってのみ限定されるものである。
【図面の簡単な説明】
【００３９】
【図１】送信電力の初期設定に従って構成されたワイヤレス通信ネットワークの実施形態の１つのブロック図である。
【図２】図１のネットワークにおいて使用されることができる移動局制御装置の実施形態の１つのブロック図である。
【図３】移動局におけるセカンダリ・リバースリンクのキャリアの初期送信電力を設定するのに使用される初期設定の電力オフセット情報を決定するための処理論理の実施形態の１つの論理フロー図である。
【図４】移動局のリバースリンク送信電力初期設定に関する処理論理の実施形態の１つの論理フロー図である。
【図５】送信電力の初期設定を実行するように構成された移動局の実施形態の１つのブロック図である。
【図６】リバースリンクのセカンダリ・キャリアの初期送信電力を設定するための移動局の処理論理の実施形態の１つの論理フロー図である。
【図７】リバースリンクのセカンダリ・キャリアの初期送信電力を設定するための移動局の処理論理の別の実施形態の論理フロー図である。
【図１】
0005394740.tif 000002
【図２】
0005394740.tif 000003
【図３】
0005394740.tif 000004
【図４】
0005394740.tif 000005
【図５】
0005394740.tif 000006
【図６】
0005394740.tif 000007
【図７】
0005394740.tif 000008